(57)【要約】【課題】駆動源からタイミングベルトを介して回転体に駆動力を伝達する駆動伝達装置において、ベルト伝達装置の構成を大幅に変更することなくベルトとプーリの噛み合いを正常化し、噛み合い時の振動の発生を抑制することを課題とする。【解決手段】本体フレーム１に回転自在に支持されるテンションアーム２により、テンションプーリ３を介してベルト４のゆるみ側にテンションをかけるベルトテンション付加装置において、テンションプーリ３がベルトの幅と等しく、かつテンションプーリ３を装着したブラケット５がベルトの幅方向に対し、ブラケット５とテンションアーム２を取り付けた軸６を中心として回転自在とする。【選択図】  図２
2004278636.tif 000002
【特許請求の範囲】
【請求項１】
複数のプーリ間に伝動ベルトを巻掛け、ベルト背面にテンションプーリを設置したベルトテンション付加装置において、
該テンションプーリによりベルトにねじれを付加する機構を備えたこと特徴とするベルトテンション付加装置。
【請求項２】
請求項１に記載のベルトテンション付加装置において、
前記テンションプーリが、本体フレームに支持されるテンションアームと回転自在に係着され、プーリ上のベルト位置が移動した際、自動的にベルトにねじれを付加することを特徴とするベルトテンション付加装置。
【請求項３】
請求項２に記載のベルトテンション付加装置において、
前記テンションプーリが、本体フレームに支持されるテンションアームとベルトの外側において、該アームに設けたガイド用長孔に沿って揺動可能となし、プーリ上のベルト位置が移動した際、自動的にベルトにねじれを付加することを特徴とするベルトテンション付加装置。
【発明の詳細な説明】
【０００１】
【発明の属する技術分野】
本発明は、電子写真方式を用いた複写機、ファクシミリ、プリンタ等のＯＡ機器におけるタイミングベルトのベルト噛み合い調整装置に関する。
【０００２】
【従来の技術】
従来、複写機、プリンタ等の画像形成装置において、複数のロールに無端ベルトを張架して回転走行させるベルト伝達装置は、電子写真方式により感光ドラム等に形成したトナー像を無端ベルト表面に一旦転写して担持させた後に、搬送されてきた記録シートに再転写するいわゆる中間転写ベルト機構として使用したり、トナー像を最終的に転写する記録シートを無端ベルトの表面に吸着保持させて画像が形成される感光ドラム等の転写位置まで搬送し、その画像を感光体ドラム等から記録シート側に転写させて排出するシート搬送転写ベルト機構等として使用することが知られている。
【０００３】
ところで、駆動源からタイミングベルトを介して回転体に駆動力を伝達する駆動伝達装置では、複数のプーリ間に伝動ベルトを巻掛け、ベルト背面にテンションプーリを設置したベルト伝達装置が使用される。前記ベルト伝達装置において、駆動軸と従動軸との平行度にずれが生じた場合、図１に示すように、ベルトとプーリとの噛み合いの平行度にもずれが生じ、ベルトが浮く側の軸方向への力が働く。このとき、軸方向への力によりプーリ上をベルトが移動するが、最終的にプーリに設けられたフランジにより規制される。しかし、プーリとベルトの噛み合い状態についてはベルトの弾性変形に依存しているため、ベルトの許容範囲を超えるとベルトとプーリの噛み合い時に周期的な振動が発生する場合がある。
【０００４】
このような問題を解決するために、特許文献１及び特許文献２では、駆動軸と従動軸とにおける平行度のずれによるベルトのねじれ防止機構を備えるが、軸自身を変位させる機構が必要であり、かつ、実際の稼働状況を調べた後に手動で調整する必要がある。
【０００５】
【特許文献１】
実開平０５−０１９２２３号公報
【特許文献２】
特開２００１−１４７６０１号公報
【０００６】
【発明が解決しようとする課題】
上記問題点に鑑み、本発明は、ベルト伝達装置の構成を大幅に変更することなくベルトとプーリの噛み合いを正常化し、噛み合い時の振動の発生を抑制するベルトテンション付加装置を提供することを課題とする。
【０００７】
【課題を解決するための手段】
以上説明したように、請求項１に記載の本発明は、複数のプーリ間に伝動ベルトを巻掛け、ベルト背面にテンションプーリを設置したベルトテンション付加装置において、該テンションプーリによりベルトにねじれを付加する機構を備えたこと特徴とするベルトテンション付加装置である。
【０００８】
請求項２に記載の本発明は、請求項１に記載のベルトテンション付加装置において、前記テンションプーリが、本体フレームに支持されるテンションアームと回転自在に係着され、プーリ上のベルト位置が移動した際、自動的にベルトにねじれを付加することを特徴とするベルトテンション付加装置である。
請求項３に記載の本発明は、請求項２に記載のベルトテンション付加装置において、前記テンションプーリが、本体フレームに支持されるテンションアームとベルトの外側において、該アームに設けたガイド用長孔に沿って揺動可能となし、プーリ上のベルト位置が移動した際、自動的にベルトにねじれを付加することを特徴とするベルトテンション付加装置である。
【０００９】
【発明の実施の形態】
図１に示すように、複数のプーリ間に伝動ベルトを巻掛け、ベルト背面にテンションプーリを設置したベルトテンション付加装置において、駆動軸と従動軸の平行度にずれが生じた場合、ベルトとプーリの噛み合いの平行度にもずれが生じ、ベルトが浮く側の軸方向への力が働く。この際、軸方向への力によりプーリ上をベルトが移動するが、最終的にプーリに設けられたフランジにより規制される。しかし、プーリとベルトの噛み合い状態についてはベルトの弾性変形に依存しているため、ベルトの許容範囲を超えるとベルトとプーリの噛み合い時に周期的な振動が発生する場合がある。
【００１０】
これに対し、図２のような複数のプーリ間に伝動ベルトを巻掛け、ベルト背面にテンションプーリを設置したベルトテンション付加装置において、テンションプーリを傾けてベルトにねじれをつけることにより、駆動プーリ上におけるベルトの歯の浮きを無くし、ベルトがプーリの歯に乗ることを抑制することで、噛み合い時の振動を防止することができる。
【００１１】
図２は、本体フレーム１に回転自在に支持されるテンションアーム２により、テンションプーリ３を介してベルト４のゆるみ側にテンションをかけるベルトテンション付加装置において、テンションプーリ３がベルトの幅と等しく、かつ、テンションプーリ３を装着したブラケット５がベルトの幅方向に対し、ブラケット５とテンションアーム２を取り付けた軸６を中心として回転自在としたものである。これは図３のように、駆動軸７と従動軸８の平行度のずれからベルトがプーリ上を移動すると、それに対応したテンションプーリ３の動きと共にブラケット５が回転して自動的にベルト４の歯を内側に向けるようにねじれをつける。このベルト４のねじれにより駆動プーリ９上におけるベルト４の歯の浮きを無くし、ベルト４がプーリの歯に乗ることを抑制することで、噛み合い時の振動を防止するものである。
【００１２】
そして、図４は本体フレーム１に回転自在に支持されるテンションアーム２により、テンションプーリ３を介してベルト４のゆるみ側にテンションをかけるベルトテンション付加装置において、テンションプーリ３がベルトの外側でテンションアーム２に取り付けられ、テンションプーリ３はベルトの幅と等しく、かつ、テンションプーリ３を装着したブラケット５に設けられたガイドローラ１０によりテンションアームのガイド用長孔１１にそって揺動可能としたものである。
【００１３】
これは、駆動軸７と従動軸８の平行度のずれからベルト４がプーリ上を移動すると、それに対応したテンションプーリ３の動きと共にブラケット５が揺動し、自動的にベルト４の歯を内側に向けるようにねじれをつける。このベルトのねじれにより駆動プーリ９上におけるベルト４の歯の浮きを無くし、ベルト４がプーリの歯に乗ることを抑制することで、噛み合い時の振動を防止するものである。
【００１４】
【発明の効果】
以上説明してきたように、ベルトテンション付加装置により、ベルトとプーリの噛み合い状態を平行に保持し、噛み合い時に周期的に発生する振動が抑制される。また、駆動プーリや従動プーリの径が小さくベルト間の間隔が少ない構成においても、ベルトとプーリの噛み合い状態を平行に保持し、噛み合い時に周期的に発生する振動が抑制される。
【図面の簡単な説明】
【図１】駆動軸と従属軸の平行度にずれが生じた場合を示す図である。
【図２】ベルトテンション付加装置を示す図である。
【図３】テンションプーリの動きと共にブラケットが回転する様を示す図である。
【図４】ベルトテンション付加装置を示す図である。
【符号の説明】
１    本体フレーム
２    テンションアーム
３    テンションプーリ
４    ベルト（内側歯面）
５    ブラケット
６    連結棒
７    駆動軸
８    従動軸
９    駆動プーリ
１０  ガイドローラ
１１  ガイド用長孔
【図１】
2004278636.tif 000003
【図２】
2004278636.tif 000004
【図３】
2004278636.tif 000005
【図４】
2004278636.tif 000006